(57)【要約】【課題】  多量の氷が必要のとき氷の増量に対応できない。また、増量が容易でない。【解決手段】  本発明の冷凍冷蔵庫１は、冷却器から冷気を吹き込み製氷する製氷室を有する冷凍冷蔵庫１であって、上下壁で仕切られた部屋を更に仕切壁で左右に仕切り、該左右の部屋の一方の部屋を自動製氷する自動製氷室５とし、製氷皿７に給水する給水手段、製氷皿の氷を貯氷容器に貯氷する貯氷手段、貯氷容器の貯氷量を検氷する検氷手段等を備え、また、他方の部屋を手動製氷室６とし、内部に製氷皿７を載置する専用の製氷皿保持部を形成し、製氷皿７への給水、製氷皿保持部への製氷皿７の載置及び製氷皿保持部から製氷皿７の取出しを手動で行うものである。【選択図】図１
2005337656.tif 000002
【特許請求の範囲】
【請求項１】
冷却器から冷気を吹き込み製氷する製氷室を有する冷凍冷蔵庫であって、
上下壁で仕切られた部屋を更に仕切壁で左右に仕切り、
該左右の部屋の一方の部屋を、製氷皿に給水する給水手段、製氷皿の氷を貯氷容器に貯氷する貯氷手段、貯氷容器の貯氷量を検氷する検氷手段等を備え自動製氷する自動製氷室とし、
また、他方の部屋を、内部に製氷皿を載置する専用の製氷皿保持部を形成し、前記製氷皿への給水、前記製氷皿保持部への前記製氷皿の載置及び前記製氷皿保持部から前記製氷皿の取出しを手動で行う手動製氷室としたことを特徴とする冷凍冷蔵庫。
【請求項２】
前記左右に仕切る仕切壁を設けず一製氷室とし、該一製氷室の一方側を自動製氷室、他方側を手動製氷室としたことを特徴とする請求項１に記載の冷凍冷蔵庫。
【請求項３】
前記製氷皿保持部は、製氷皿保持具と該製氷皿保持具を着脱可能に取付ける保持部取付具から構成され、
前記保持部取付具は、隔壁に設置され、
また、前記製氷皿保持具は、少なくとも上面及び前面を開放した箱形体のものであり、
前記手動製氷室で製氷時は、前記製氷皿保持具を箱形体の開放前面を手前とし、開放上面を上方にして前記保持部取付具に取付け、箱形体の底面上に製氷皿を載置し、一方、前記手動製氷室で製氷しない時は、箱形体の開放前面を手前とし、開放上面を下方にして前記保持部取付具に取付けることを特徴とする請求項１又は請求項２に記載の冷凍冷蔵庫。
【請求項４】
前記製氷皿保持具の箱形体の底面に開口部を形成し、前記製氷皿保持具を箱形体の開放上面を下方にして前記保持部取付具に取付けた際、前記手動製氷室の上壁に設置した前記冷却器からの冷気が吹き込む冷気吹出口の開口部と前記箱形体の底面の開口部とが対向することを特徴とする請求項３に記載の冷凍冷蔵庫。
【請求項５】
前記製氷皿保持部は、隔壁に設置され、前記製氷皿を着脱可能に直接取付ける製氷皿取付具としたことを特徴とする請求項１又は請求項２に記載の冷凍冷蔵庫。
【請求項６】
前記手動製氷室の室内温度は、冷蔵、冷凍及びチルドの各温度帯の切替えが可能であることを特徴とする請求項１〜請求項５のいずれかの請求項に記載の冷凍冷蔵庫。
【請求項７】
前記自動製氷室及び前記手動製氷室のうち、少なくともどちらか一方の製氷皿が両底面間に空間を形成し、上部底面に開口部を設けた二重底製氷皿としたことを特徴とする請求項１〜請求項６のいずれかの請求項に記載の冷凍冷蔵庫。
【発明の詳細な説明】
【技術分野】
【０００１】
本発明は、自動製氷室と手動製氷室とを有し、手動製氷室を製氷の他に食品冷却に使用できる冷凍冷蔵庫に関するものである。
【背景技術】
【０００２】
従来の冷蔵庫には、製氷室（自動製氷室）と同段で隣接して設けられ、冷蔵、冷凍及びチルドの各温度帯の切替えが可能な切替室を有するものがある（例えば、特許文献１参照。）。
【特許文献１】特開２００１−１７４１４５号公報（第３頁、第１図、第５図）
【発明の開示】
【発明が解決しようとする課題】
【０００３】
特許文献１の従来の冷蔵庫における製氷は自動製氷室のみで行うため、製氷能力は、自動製氷機の能力に限定されており、氷を増量しようとしても自動製氷機の製氷時間に制限されるという問題があった。
また、市販の製氷皿を購入して、氷を増量するために切替室または冷凍室で製氷する場合は、切替室及び冷凍室には製氷皿を載置する専用の製氷皿保持部がないため、引出し式の扉と連動して動作する収納容器内に水入りの製氷皿を載置すると開閉操作時に水がこぼれる等の問題があった。さらに、冷凍室の場合は、自動製氷室と高さが異なるため、氷取出し時の動作が多くなり不便であった。
【０００４】
本発明は、上記のよう課題を解決するためになされたもので、必要に応じて、水こぼれがなくまた氷取出し動作が特別に多くならずに容易に製氷量を増量できる冷凍冷蔵庫を得ることを目的とする。
また、製氷量を増量する必要がないときは、製氷は自動製氷室で行い、手動製氷室のスペースは複雑な操作なしに食品冷却に有効に使用できる冷凍冷蔵庫を得ることを目的とする。
【課題を解決するための手段】
【０００５】
本発明に係る冷凍冷蔵庫は、冷却器から冷気を吹き込み製氷する製氷室を有する冷凍冷蔵庫であって、上下壁で仕切られた部屋を更に仕切壁で左右に仕切り、該左右の部屋の一方の部屋を自動製氷する自動製氷室とし、製氷皿に給水する給水手段、製氷皿の氷を貯氷容器に貯氷する貯氷手段、貯氷容器の貯氷量を検氷する検氷手段等を備え、また、他方の部屋を手動製氷室とし、内部に製氷皿を載置する専用の製氷皿保持部を形成し、製氷皿への給水、製氷皿保持部への製氷皿の載置及び製氷皿保持部から製氷皿の取出しを手動で行うものである。
【発明の効果】
【０００６】
本発明の冷凍冷蔵庫は、自動製氷室と同段に隣接して専用の製氷皿保持部を形成した手動製氷室を設けたので、必要に応じて、製氷皿からの水こぼれがなくまた氷取出し動作等が特別に多くならずに容易に製氷量を増量できる。
【発明を実施するための最良の形態】
【０００７】
実施の形態１．
図１は、本実施の形態の手動製氷室を示す要部断面図であり、図２は、同じく、冷凍冷蔵庫の外観を示す斜視図であり、図３は、手動製氷室に製氷皿保持具を取付けた状態を示す断面図であり、図４は、同じく、製氷皿を載置する製氷皿保持具の詳細構造を示す斜視図であり、また、図５は、製氷皿保持具の保持具取付具への取付けを説明する図である。
本実施の形態の冷凍冷蔵庫は、図２にその外観を示すように、上下壁、側壁、仕切壁等の隔壁で仕切り、温度帯及び用途等に応じて複数の部屋を形成している。本例では最上部に冷蔵室２、この下段に野菜室４、最下部に冷凍室３そして冷凍室３と野菜室４との間に製氷室を設け、この製氷室を仕切壁で左右に仕切り、前面から見て左側に自動製氷室、右側に手動製氷室とする。
【０００８】
自動製氷室は、製氷専用の部屋であり、従来の冷凍冷蔵庫の自動製氷室と同様であり、内部に製氷皿、貯氷容器、製氷皿に自動給水する給水手段、製氷後の氷を製氷皿から貯氷容器に取出し、貯氷する貯氷手段及び貯氷容器の貯氷量を検氷する検氷手段等を備え、部屋内に後述の冷気を吹き込み自動製氷する。
【０００９】
次に、図１により手動製氷室を説明する。
手動製氷室６の下部に、その底面の大きさが手動製氷室６の底面の大きさとほぼ同一で、上部開放の箱形の容器である保管ケース１０を配置する。保管ケース１０は、手動製氷室６の前面の扉である手動製氷室扉１１の開閉に連動して、取出し及び収納される。後述のように保管ケース１０には、手動製氷室６を製氷室として使用するときは、上部の製氷皿７の氷を収納したり、また、冷却室として使用するときは、食品を収納する。
手動製氷室６の上部に、箱形体である製氷皿保持具８を配置し、このの底面８ａ上に製氷皿７を載置する。また、製氷皿保持具８は、上壁に設置した保持具取付具９（図１には記載省略、後述の図３及び図５で明示する）に着脱可能に取付けられる。
手動製氷室６への冷気の吹き込みは、冷凍冷蔵庫１の本体の背面側に設けられた冷却器室１３内に設けた冷却器１４で発生した冷気を送風機１５により風路１６を通過させ、手動製氷室６の上壁に開口した風路１６の吹出口１７ａから吹き込むことにより行う。上部の吹出口１７ａは複数設け、また、手動製氷室６の後壁にも吹出口１７ｂを設ける。但し、吹出口の数は適宜選択でき、また、設置場所も上壁及び後壁のうち、どちらか一方でもよい。
冷凍冷蔵庫１の冷蔵室２、冷凍室３、野菜室４、自動冷凍室５等の各部屋への冷気の吹き込みも同様に各部屋に導かれた風路１６の吹出口から行う。各部屋への吹出し冷気量は、風路等に適宜設けたダンパ１８で行う。また、冷気は全体として循環しており、戻り風路１９により各部屋より冷却器室１３の冷却器１４に戻る。
【００１０】
図３は、前面側から見た手動製氷室６の内部を示し、保持具取付具９に取付けられた製氷皿保持具８は、保管ケース１０の上方で、その下部が丁度保管ケース１０の開放上面にほぼ一致するような位置関係となる。また、保管ケース１０の開放上面をその下部がほぼ覆う大きさ関係である。
【００１１】
図４により製氷皿保持具８の詳細構造を説明する。
製氷皿保持具８は、前面及び上面を開放した底面８ａ、後面８ｂ及び両側面８ｃ、８ｃからなる箱形体のものであり、底面８ａには、複数の開口部である穴８ｄが形成され、また、後面８ｂにも複数の開口部である穴８ｄが形成されている。
後面８ｂの穴８ｄは、製氷皿保持具８が保持具取付具９に取付けられたとき、手動製氷室６の後壁に形成された吹出口１７ｂに位置的に対応し、また、穴８ｄの開口の大きさは対応する吹出口１７ｂの外形より大きくする。そして、吹出口１７ｂが穴８ｄに接触しないで製氷皿保持具８の箱形体内に入り込むようにしている（図１参照）。このような大小関係にすることにより、吹出口１７ｂから冷気が吹出しても製氷皿保持具８の穴８ｄの近傍に霜が付着しない。なお、吹出口１７ｂを箱形体内に入り込ませずに、穴８ｄの開口を吹出口１７ｂの開口より大きくし、両開口が位置的に対向するようにしてもよく、同様の効果となる。
底面８ａの穴８ｄの開口の大きさも対応する吹出口１７ａの開口の大きさより大きくしているが、底面８ａの穴８ｄと手動製氷室６の上壁に形成された吹出口１７ａとの関係に関しては、後述する。
【００１２】
また、製氷皿保持具８は、図４に示すように、両側面８ｃの上端及び下端から外側にほぼ直角に短く突出する板状体からなる側部リブ８ｅが形成されている。この側部リブ８ｅは、製氷皿保持具８の前部から後部まで連続して形成されるが、前部に切り欠き８ｆを設ける。
また、製氷皿保持具８の両側面８ｃの前端部から外側にほぼ直角に短く突出する板状体からなる前部リブ８ｇが上端から下端まで形成されている。
このような製氷皿保持具８は、図３に示すように、上壁に設けられた断面Ｌ字体の保持具取付具９に左右の側部リブ８ｅをはめ込みスライドさせ着脱可能に取付けられる。そして、製氷皿７（図４に示す）が製氷皿保持具８の底面８ａ上に載置される。
【００１３】
図５により製氷皿保持具８の保持具取付具９への取付けについて詳細に説明する。
図５（ａ）は、側面８ｃ側から見た製氷皿保持具８の外形及び製氷皿保持具８の側部リブ８ｅをはめ込む保持具取付具９の外形を示す。
保持具取付具９は、断面Ｌ字体を切断面と直交方向に延長した直交二平面の長手方向に延長したもので、その長手方向（延長方向）の一端の一平面（底部９ａ）上に凸部であるストッパ９ｃを形成し、また、長手方向の他端に直交二平面に直交する後壁９ｂを設けた形状のものであり、この形状のものを、長手方向を手動製氷室６の前後方向に一致させ、また、ストッパ９ｃを前側とし、さらに、直交二平面の一方の平面（底部９ａ）の長手端部を対となる保持具取付具９の同じく一方の平面（底部９ａ）の長手端部と対向するように配置し、直交二平面のもう一方の平面の長手端部を上壁に固定したものである。
【００１４】
そこで、図５（ａ）に示すように、製氷皿保持具８の上部の側部リブ８ｅを矢印のように上壁と保持具取付部９の底部９ａ間にスライド挿入する。挿入により、図５（ｂ）に示すように、側部リブ８ｅは、保持具取付部９の底部９ａ上で、切り欠き８ｆから突出するストッパ９ｃと後壁９ｂ間に収容され、外れ難くなる。保持具取付具９は、一対で用いられ、もう一方の側部リブ８ｅも同様であり、製氷皿保持具８は、冷蔵冷凍庫１の前面側から挿入され固定される。
また、製氷皿保持具８には前部リブ８ｇが設けてあり、逆方向からの挿入、即ち、前部リブ８ｇ方向からの挿入を防止する。
製氷皿保持具８の取り外しは、保持具取付具９のストッパ９ｃのストッパ解除により取外し可能となる。製氷皿保持具８を上方に持ち上げて、手前方向に引くことでストッパ解除が可能となる。
【００１５】
上記のような手動製氷室６を設けたので、自動製氷室５での製氷量では、氷量が不足する場合は、手動製氷室６で製氷することにより製氷量を増量できる。
また、手動製氷室６には、製氷皿保持具８及び製氷皿保持具８を取付ける保持具取付具９からなる、製氷皿７を載置する専用の製氷保持部を設けたので、手動製氷室扉１１の開閉による製氷皿７からの水こぼれが防止できる。
また、手動製氷室６は、自動製氷室５と同段に隣接して設置したので、製氷操作に違和感もなく、特に氷取出し動作等が多くなるということもない。
なお、手動製氷室６の保管ケース１０は、手動製氷室６で製氷時は、製氷皿７の氷を収納してもいいし、また、食品を収納してもよい。
また、製氷皿７は、図８に示すように、二重底製氷皿２２としてもよい。これは、上製氷皿２２ａと下製氷皿２２ｃとを重ね、両皿間に空間を形成し、さらに上製氷皿には空間に通じる穴２２ｂを有するようにした製氷皿である。この製氷皿２２を使用すれば、透明な氷を作成できる。
【００１６】
次に、手動製氷室６で製氷を行わない場合、即ち、食品冷却にのみ使用する場合を説明する。
図６は、製氷しない場合の手動製氷室を示す要部断面図（製氷を行う場合の図１に対応）であり、図７は、同じく手動製氷室に製氷皿保持具を取付けた状態を示す断面図（製氷を行う場合の図３に対応）である。
これらの図に示すように、手動製氷室６で製氷せずに、手動製氷室６を食品の冷却に使用する場合は、製氷皿保持具８は、保持具取付具９に製氷時とは異なった取り付けをする。即ち、製氷皿保持具８の開放上面を下に、また、底面８ａを上になるようにし、製氷時の取付けと上下逆に取付ける。前面を開放とするのは同じである。
製氷皿保持具８の保持具取付具９への取付けは、製氷時と同じである。即ち、図４に示すように、製氷皿保持具８は、両側面８ｃに設けたそれぞれの上下の側部リブ８ｅは、同一の形状であり、上下対称である。また、後面８ｂに設けた穴８ｄも開口部が後面において上下対称である。
そこで、製氷皿保持具８の保持具取付具９への取付けは、製氷時と同じにでき、また、取付け後の吹出口１７ｂと穴８ｄの関係も同じである。
【００１７】
製氷皿保持具８の底面８ａの穴８ｄは、上記のように製氷皿保持具８が保持具取付具９に取付けられたとき、手動製氷室６の上壁に形成された吹出口１７ａに位置的に対向し、また、穴８ｄの開口の大きさは対応する吹出口１７ａの開口の大きさより大きくしている。但し、氷を取出す際に、製氷皿７からこぼれた氷が下の保管ケース１０に落ちないように、製氷される氷が通過しない形状（図４の長方形状等）、大きさとするのが望ましい。
このように吹出口１７ａを穴８ｄの開口部を対向させることにより、冷風が製氷皿保持具８の箱形体の中に有効に吹き込まれる。また、このような大小関係にすることにより、吹出口１７ｂから冷気が吹出しても製氷皿保持具８の穴８ｄの近傍に霜が付着しない。
また、図６、図７に示すように、保持具取付具９に取付けられた製氷皿保持具８は、保管ケース１０の上方で、その下部が丁度保管ケース１０の開放上面にほぼ一致するような位置関係となる。また、保管ケース１０の開放上面をその下部がほぼ覆う大きさ関係である。
このような構造とすることにより、手動製氷室６内は、製氷皿保護具８及び保管ケース１０により大きく囲うことができ、冷却食品は、この囲い内に収納でき、部屋内を有効に利用できる。そして、収納食品を保管ケース１０の後に落とすのが防止できる。
また、冷却器１４からの冷気は、吹出口１７ａ、１７ｂからこの囲い内に吹き込まれ、内部を効率良く冷却できる。さらに、手動製氷室６で製氷しないときにも、製氷皿保持具８を使用することにより、取り外した場合に製氷皿保持具８を紛失する恐れがあるのを防止できる。
この囲い内及び手動製氷室６の冷却温度は、ダンパ制御等により、冷蔵、冷凍及びチルドの各温度帯に切替え可能とし、冷却食品の種類、用途等に適合させる。
なお、製氷皿保持具８は、上面及び前面を開放した箱形体としたが、後面８ｂはなしとしてもよい。詳細は後述する。
【００１８】
本冷凍冷蔵庫１の手動製氷室６は、製氷皿７を載置する専用の製氷皿保持部を有し、この製氷皿保持部は、製氷皿保持具８と該製氷皿保持具８を着脱可能に取付ける保持部取付具９から構成され、また、製氷皿保持具８は、少なくとも上面及び前面を開放した箱形体のものであり、手動製氷室６で製氷時は、製氷皿保持具８を箱形体の開放前面を手前とし、開放上面を上方にして保持部取付具９に取付け、箱形体の底面上に製氷皿７を載置し、一方、手動製氷室６で製氷しない時は、箱形体の開放前面を手前とし、開放上面を下方にして保持部取付具９に取付けるので、本冷凍冷蔵庫１の手動製氷室６によると、製氷皿保持具８の取付けを選択することにより、製氷時には、製氷皿保持具８を専用の製氷皿７の載置台として機能させ、製氷皿からの水こぼれがなく製氷が容易であり、また、製氷しない場合は、食品収納スペースを拡大できる。
【００１９】
また、製氷皿保持具８の箱形体の底面８ａに開口部８ｄを形成し、製氷皿保持具８を箱形体の開放上面を下方にして保持部取付具９に取付けた際、手動製氷室６の上壁に設置した冷却器１４からの冷気が吹き込む冷気の吹出口１７ａの開口部と箱形体の底面８ａの開口部８ｄとが対向するので、箱形体の内部が効率よく冷却され、収容食品の冷却に有効である。
【００２０】
次に、手動製氷室６において、製氷皿７を載置する専用の製氷皿保持部の別の例を説明する。
図９は、手動製氷室における製氷皿保持部に製氷皿を取付け状態を示す図（手動製氷室内を前面側から見た図）であり、図１０は、図９に示す製氷皿保持具使用による手動製氷室を示す要部断面図（図１に対応する図）である。
これらの図において、保管ケース１０である矩形容器の後面に連続するように上壁から矩形容器の後面の上端近傍まで矩形容器２０の幅と同等の幅の壁２０を形成する。
また、上壁には、製氷皿７を直接載置する一対の製氷皿取付具２６（製氷皿保持部に該当する）を形成する。製氷皿取付具２６は、断面Ｌ字体を切断面と直交方向に延長した直交二平面の長手方向延長体で、直交二平面の一方の平面の長手端部を対となる製氷皿取付具２６の同じく一方の平面の長手端部と対向するように配置し、製氷皿７の載置面を形成し、直交二平面のもう一方の平面の長手端部を上壁に固定したものである。
【００２１】
両側部に外側に突出するリブを有する製氷皿７をリブを上壁と製氷皿取付具２６の製氷皿７の載置面との間に挿入し、製氷皿７を製氷皿取付具２６に着脱可能に取付ける。
この場合も製氷時に、先に記載した製氷皿保持具８と保持具取付具９からなる製氷皿保持部の場合と同様に手動製氷室扉１１の開閉による製氷皿７からの水こぼれが防止できる等同様の効果が得られる。本製氷皿保持部による製氷皿７の取付けは、製氷皿保持具８と保持具取付具９からなる製氷皿保持部の場合に比べて、製作が容易であるメリットがある。
また、手動製氷室６で製氷しない場合は、食品冷却に使用するが、先に記載の製氷皿保持具８を使用しないので、収容スペースは広くなる。このとき、保管ケース１０の後面に連続する壁２０を形成したので、食品が保管ケース１０の後に落下するのを防止できる。
製氷皿として、リブ付きの二重底製氷皿を使用すれば透明氷を得ることができる。
【００２２】
なお、製氷皿保持具８は、上面及び前面を開放した箱形体としたが、後面８ｂはなしとし、上記の連続する壁２０で後面８ｂの代わりとしてもよく、使用法及び効果等は、上記と同様である。
【００２３】
また、図４の製氷皿保持具８を保持具取付具９で取付けることを説明したが、保持具取付具９の代りに図１１に示すように、保管ケース１０の上方で、手動製氷室６の両側壁に凸壁２４（保持具取付具９に該当する）を形成し、製氷皿保持具８の両側面８ｃの取付け時に上側となる側部リブ８ｅがスライド可能な溝をそれぞれ上下に形成してもよく、同様な効果が得られる。
さらに、図３において、製氷皿保持具８の上下の側部リブ８ｅの代りに、側面８ｃの上下方向の中央に両側面８ｃにそれぞれ１本の側部リブを設け、保持具取付具９は、この側部リブを受けるように部屋の側壁から水平に保持具取付具を設けてもよい。
【００２４】
本冷凍冷蔵庫は、同一段に自動製氷室５と隣接する手動製氷室６を仕切壁で仕切って設けているが、この仕切壁をなくしてもよい。製氷スペースが広くなり、より多くの製氷が可能となる。また、この場合も冷蔵、冷凍及びチルドの各温度帯に切替え可能とし、製氷時には、冷凍温度帯とし製氷するとともに、冷蔵及びチルドの各温度帯として、食品冷却に使用してもよい。
また、製氷皿７（製氷皿２２）を載置する製氷皿保持具は、上記記載のものに限らず、手動製氷室６において、製氷皿７（製氷皿２２）を載置時に、手動製氷室扉１１の開閉により、水のこぼれがないものであればよく、製氷皿保持具８使用タイプ、または、製氷皿７（製氷皿２２）直接載置タイプにより、それぞれ上記同様の効果を有する。
【図面の簡単な説明】
【００２５】
【図１】本発明の実施の形態１の手動製氷室を示す要部断面図である。
【図２】本発明の実施の形態１の冷凍冷蔵庫の外観を示す斜視図である。
【図３】本発明の実施の形態１の手動製氷室に製氷皿保持具を取付けた状態を示す断面図である。
【図４】本発明の実施の形態１の製氷皿を載置する製氷皿保持具の詳細構造を示す斜視図である。
【図５】本発明の実施の形態１の製氷皿保持具の保持具取付具への取付けを説明する図である。
【図６】本発明の実施の形態１の製氷しない場合の手動製氷室を示す要部断面図である。
【図７】本発明の実施の形態１の手動製氷室に製氷皿保持具を取付けた状態を示す断面図である。
【図８】本発明の実施の形態１の二重底製氷皿を示す断面図である。
【図９】本発明の実施の形態１の手動製氷室における製氷皿保持部に製氷皿を取付け状態を示す要部断面図である。
【図１０】本発明の実施の形態１の図９に示す製氷皿保持具使用による手動製氷室を示す要部断面図である。
【図１１】本発明の実施の形態１の製氷皿保持具８を取付ける別の形態を示す図である。
【符号の説明】
【００２６】
１  冷凍冷蔵庫、５  自動製氷室、６  手動製氷室、７、２２  製氷皿、８  製氷皿保持具、８ｄ  開口部、８、９  製氷皿保持部、８、２４  製氷皿保持部、９  保持部取付具、１４  冷却器、１７ａ  冷気吹出口、２２  製氷皿（二重底製氷皿）、２６  製氷皿保持部（製氷皿取付具）。
【図１】
2005337656.tif 000003
【図２】
2005337656.tif 000004
【図３】
2005337656.tif 000005
【図４】
2005337656.tif 000006
【図５】
2005337656.tif 000007
【図６】
2005337656.tif 000008
【図７】
2005337656.tif 000009
【図８】
2005337656.tif 000010
【図９】
2005337656.tif 000011
【図１０】
2005337656.tif 000012
【図１１】
2005337656.tif 000013